(57)【要約】【課題】乗場への進入を規制するセキュリティゲートなどの規制装置が設置されたエレベータにおいて、エレベータの運行効率を低下させずに、初期設定階とは別の行先階への利用者の移動を可能にする制御システムを提供する。【解決手段】制御システムは、規制装置１０１に設けられる操作機能付きの表示装置４と、制御装置（一例として、群管理制御装置３）と、を備える。そして、制御装置は、識別情報Ｐｉに基づいて規制装置１０１の通過が許可された場合に、その識別情報Ｐｉに対応付けられている初期設定階Ｆｄ以外で許可できる降車階として設定されている降車許可階Ｆｅを少なくとも表示装置４に選択可能に表示し、降車許可階Ｆｅの何れか１つが選択された場合に、その降車許可階Ｆｅを用いて呼び登録を行う。【選択図】図１
2020142871.tif 000002
【特許請求の範囲】
【請求項１】
乗場への進入を規制する規制装置が設置され、利用者による前記規制装置の通過を許可するか否かが当該利用者の識別情報に基づいて判断されるエレベータ、に適用可能な制御システムであって、
前記規制装置に設けられる操作機能付きの表示装置と、
前記識別情報に基づいて前記規制装置の通過が許可された場合に、その識別情報に対応付けられている初期設定階以外で許可できる降車階として設定されている降車許可階を少なくとも前記表示装置に選択可能に表示し、前記降車許可階の何れか１つが選択された場合に、その降車許可階を用いて呼び登録を行う制御装置と、
を備える、エレベータの制御システム。
【請求項２】
前記制御装置は、前記降車許可階に加えて前記初期設定階を前記表示装置に選択可能に表示し、前記初期設定階が選択された場合、その初期設定階を用いて呼び登録を行う、請求項１に記載のエレベータの制御システム。
【請求項３】
前記制御装置は、前記表示装置に前記降車許可階を選択可能に表示してから、前記表示装置に対する操作がないまま所定時間が経過した場合、前記初期設定階を用いて前記呼び登録を行う、請求項１又は２に記載のエレベータの制御システム。
【請求項４】
前記規制装置に設けられ、前記表示装置の前を利用者が通過したことを検知する検知装置を更に備え、
前記制御装置は、前記表示装置に前記降車許可階を選択可能に表示した後、当該表示装置に対する操作がないまま前記検知装置が利用者の通過を検知した場合、前記初期設定階を用いて前記呼び登録を行う、請求項１〜３の何れかに記載のエレベータの制御システム。
【請求項５】
前記識別情報には、前記表示装置への前記降車許可階の表示に関する有効期間が対応付けられており、
前記制御装置は、前記識別情報に基づいて前記規制装置の通過が許可された場合に、そのときの時点が、その識別情報に対応付けられている前記有効期間内であるか否かを判断し、前記有効期間内であると判断した場合、前記表示装置に前記降車許可階を選択可能に表示する、請求項１〜４の何れかに記載のエレベータの制御システム。
【発明の詳細な説明】
【技術分野】
【０００１】
本発明は、乗場への進入を規制する規制装置が設置されたエレベータの制御技術に関する。
【背景技術】
【０００２】
エレベータを備えた建物のセキュリティを向上させるべく、エレベータの乗場にセキュリティゲートを設置し、利用者が所持するＩＣカードから読み取った識別情報（固有ＩＤなど）に基づいてセキュリティゲートの通過を許可するか否かを判断することにより、乗場への利用者の進入を規制する制御技術が、例えば特許文献１に提案されている。
【０００３】
又、特許文献１では、セキュリティゲートの通過が許可された場合に、許可された利用者の識別情報を対象として、その識別情報に対応付けられている初期設定階を用いて呼び登録を行う制御技術が提案されている。
【０００４】
一方、このような制御技術が適用されたエレベータにおいて、利用者は、セキュリティゲートの通過後、呼び登録で割り当てられた乗りかごに乗り遅れることがある。そこで、乗場内に登録装置を設置し、その登録装置で改めて呼び登録を行うことを可能にした制御技術が、例えば特許文献２に開示されている。
【先行技術文献】
【特許文献】
【０００５】
【特許文献１】特開２０１３−６７４８９号公報
【特許文献２】特開２０１５−１７４７１６号公報
【発明の概要】
【発明が解決しようとする課題】
【０００６】
特許文献１、２に開示されている上記制御技術では、呼び登録によって利用者が移動できる行先階は、識別情報に対応付けられている初期設定階に限られる。しかし、カフェテリアや食堂などが配された共用階が建物内に設けられる場合には、初期設定階（例えばオフィス階）とは別に、そのような共用階へも利用者がエレベータで移動できるようにする必要がある。又、１つのテナントが複数のオフィス階を専有する場合には、それらのオフィス階のうちの初期設定階とは別のオフィス階へも利用者がエレベータで移動できるようにすることが好ましいことがある。
【０００７】
そこで初期設定階とは別の行先階（上述した共用階や別のオフィス階など）への移動を可能にするべく、セキュリティゲートの通過後に、そのような別の行先階についての呼び登録を上記登録装置で行えるようにすることが考えられる。しかし、このような制御では、セキュリティゲートの通過時に実行された呼び登録とは別の新たな呼び登録が発生するため、セキュリティゲートの通過時に実行された呼び登録が無駄になるだけでなく、その呼び登録に応じたエレベータの無駄な動作（例えば、誰も降車しない階への乗りかごの無駄な停止など）が増え、その結果としてエレベータの運行効率が低下する。
【０００８】
そこで本発明の目的は、乗場への進入を規制するセキュリティゲートなどの規制装置が設置されたエレベータにおいて、エレベータの運行効率を低下させずに、初期設定階とは別の行先階への利用者の移動を可能にする制御システムを提供することである。
【課題を解決するための手段】
【０００９】
本発明に係るエレベータの制御システムは、乗場への進入を規制する規制装置が設置され、利用者による規制装置の通過を許可するか否かが当該利用者の識別情報に基づいて判断されるエレベータ、に適用可能な制御システムであって、規制装置に設けられる操作機能付きの表示装置と、制御装置と、を備える。そして、制御装置は、識別情報に基づいて規制装置の通過が許可された場合に、その識別情報に対応付けられている初期設定階以外で許可できる降車階として設定されている降車許可階を少なくとも表示装置に選択可能に表示し、降車許可階の何れか１つが選択された場合に、その降車許可階を用いて呼び登録を行う。
【００１０】
上記制御システムによれば、利用者は、規制装置の通過時に、表示装置に表示された降車許可階の中から降車したい階を選択することにより、制御装置での呼び登録の実行前に、行先階（降車したい階）を初期設定階から変更できる。そして、行先階が変更された場合には、変更後の行先階（選択された降車許可階）を用いて呼び登録が行われる。即ち、規制装置の通過時に選択される行先階が、呼び登録に用いられる。従って、同じ利用者に対して異なる２つの呼び登録が生じるといった無駄が生じにくくなる。
【００１１】
上記制御システムにおいて、制御装置は、降車許可階に加えて初期設定階を表示装置に選択可能に表示し、初期設定階が選択された場合、その初期設定階を用いて呼び登録を行ってもよい。
【００１２】
上記制御システムにおいて、制御装置は、表示装置に降車許可階を選択可能に表示してから、表示装置に対する操作がないまま所定時間が経過した場合、初期設定階を用いて呼び登録を行ってもよい。この構成によれば、利用者は、初期設定階を用いて呼び登録を行いたい場合に、表示装置に対する操作を行わずに呼び登録を行うことができる。
【００１３】
上記制御システムにおいて、規制装置に検知装置を設け、その検知装置により、表示装置の前を利用者が通過したことを検知してもよい。この構成において、制御装置は、表示装置に降車許可階を選択可能に表示した後、当該表示装置に対する操作がないまま検知装置が利用者の通過を検知した場合、初期設定階を用いて呼び登録を行ってもよい。この構成によれば、利用者は、初期設定階を用いて呼び登録を行いたい場合に、表示装置に対する操作を行わなくても、規制装置を通過することを以て呼び登録を行うことができる。即ち、利用者は、初期設定階を用いて呼び登録を行いたい場合には、表示装置の前で一旦停止するといった動作や選択操作などを行う必要がなく、従って、規制装置をスムーズに通過できる。よって、利用者にとっての利便性が向上する。
【００１４】
上記制御システムにおいて、識別情報には、表示装置への降車許可階の表示に関する有効期間が対応付けられてもよい。又、制御装置は、識別情報に基づいて規制装置の通過が許可された場合に、そのときの時点が、その識別情報に対応付けられている有効期間内であるか否かを判断し、有効期間内であると判断した場合、表示装置に降車許可階を選択可能に表示してもよい。この構成によれば、利用者にとって初期設定階からの行先階の変更が必要なとき（即ち、予め設定された有効期間内）にだけ、表示装置への降車許可階の表示が行われる。換言すれば、利用者にとって行先階の変更が不要な場合には、表示装置への降車許可階の表示が行われないため、利用者は、規制装置をスムーズに通過できる。よって、利用者にとっての利便性が向上する。
【発明の効果】
【００１５】
本発明によれば、乗場への進入を規制するセキュリティゲートなどの規制装置が設置されたエレベータにおいて、エレベータの運行効率を低下させずに、初期設定階とは別の行先階への利用者の移動を可能にすることができる。
【図面の簡単な説明】
【００１６】
【図１】実施形態に係る制御システムが適用されたエレベータを示す概念図である。
【図２】対応管理データの一例を示した概念図である。
【図３】制御システムで実行される呼び登録処理を示したフローチャートである。
【図４】表示装置に表示される行先階選択画面の一例を示した概念図である。
【図５】第１変形例における他の例で実行される呼び登録処理を示したフローチャートである。
【図６】第２変形例に係る制御システムが適用されたエレベータの要部を示した概念図である。
【図７】第２変形例における他の例で実行される呼び登録処理を示したフローチャートである。
【図８】第３変形例で実行される呼び登録処理を示したフローチャートである。
【発明を実施するための形態】
【００１７】
［１］エレベータ及びその制御システムの構成
［１−１］エレベータの構成
図１は、実施形態に係る制御システムが適用されたエレベータを示す概念図である。図１に示されるように、エレベータは、複数の乗りかご１００と、複数の規制装置１０１と、を備える。図１では、乗りかご１００を３つ備えたエレベータが示されているが、以下に説明する制御システムは、３つに限定されない複数の乗りかご１００を備えたエレベータにも適用できる。又、本発明の制御システムは、後述するように、乗りかご１００を１つだけ備えたエレベータにも適用可能である（［３−６］参照）。更に、図１では、規制装置１０１を３つ備えたエレベータが示されているが、以下に説明する制御システムは、３つに限定されない複数の規制装置１０１を備えたエレベータにも適用でき、又、規制装置１０１を１つだけ備えたエレベータにも適用できる。
【００１８】
規制装置１０１は、エレベータの乗場Ｈへの進入を規制するセキュリティゲートなどの装置である。規制装置１０１には、利用者が所持する記録媒体Ｑ（ＩＣカードや磁気カード等）から識別情報Ｐｉ（記録媒体Ｑを識別する固有の情報。固有ＩＤなど）を読み取る読取装置１が設けられている。又、規制装置１０１には、利用者が乗車すべき乗りかご１００の情報などを表示する表示装置５が更に設けられている。
【００１９】
ここで、読取装置１による記録媒体Ｑの読取り方法は、接触式のものであってもよいし、ＮＦＣ（Near  Field  Communication）等の近距離通信で情報を読み取る非接触式のものであってもよく、特に限定されるものではない。又、記録媒体Ｑは、カード状のものに限らず、スティック状やチップ状のものであってもよい。更に、読取装置１との近距離通信（ＮＦＣ等）が可能なスマートフォン等の携帯情報端末が、記録媒体Ｑとして用いられてもよい。
【００２０】
そして本実施形態では、上記規制装置１０１による乗場Ｈへの進入の規制（即ち、規制装置１０１を通過できる利用者の制限）が、以下の制御によって実現される。ここで、規制装置１０１など、読取装置が設けられた装置には、それらの装置を識別する装置情報Ｐｄが設定されている。尚、装置情報Ｐｄは、読取装置を識別する情報であってもよい。以下では、装置情報Ｐｄのうちの規制装置１０１を識別するものを、装置情報Ｐｄ１とする。
【００２１】
先ず、読取装置１で読み取られた識別情報Ｐｉは、当該読取装置１が設けられている規制装置１０１の装置情報Ｐｄ１と共に、当該規制装置１０１からセキュリティサーバ１０２に送信される。
【００２２】
その後、セキュリティサーバ１０２は、受信した識別情報Ｐｉの認証を行う。即ち、利用者による規制装置１０１の通過を許可するか否かが当該利用者の識別情報Ｐｉに基づいて判断される。そして、識別情報Ｐｉの認証に成功した場合、セキュリティサーバ１０２は、当該識別情報Ｐｉを送信してきた規制装置１０１を、その識別情報Ｐｉと共に送信されてきた装置情報Ｐｄ１に基づいて特定し、特定した規制装置１０１の動作を制御して利用者の通過を許可する。一方、識別情報Ｐｉの認証に失敗した場合、セキュリティサーバ１０２は、装置情報Ｐｄ１に基づいて特定した規制装置１０１の動作を制御して利用者の通過を規制（具体的には、禁止）する。
【００２３】
［１−２］制御システムの構成
本実施形態の制御システムは、複数のエレベータ制御装置２と、群管理制御装置３と、規制装置１０１に設けられた操作機能付きの表示装置４と、で構成されている（図１）。
【００２４】
エレベータ制御装置２は、乗りかご１００のそれぞれに１つずつ対応させて設けられており、各エレベータ制御装置２は、自身に対応する乗りかご１００を駆動する駆動装置（不図示）を制御することにより、当該乗りかご１００の動作を制御する。そして、これらのエレベータ制御装置２は、群管理制御装置３によって一元的に管理及び制御される。具体的には、各エレベータ制御装置２は、群管理制御装置３から乗場呼び（対象行先階Ｆｔ及び出発階）が割り当てられた場合に、その乗場呼びに基づいて乗りかご１００の動作を制御する。
【００２５】
群管理制御装置３は、識別情報Ｐｉに基づいて規制装置１０１の通過が許可された場合（セキュリティサーバ１０２での識別情報Ｐｉの認証が成功した場合）に、その識別情報Ｐｉ（本実施形態では、識別情報Ｐｉの代わりに用いられる後述の管理情報Ｐｊ）を対象として呼び登録を行う（呼び登録処理）。具体的には、群管理制御装置３は、呼び登録の対象になる識別情報Ｐｉの乗場呼びを、エレベータの輸送効率等を考慮して複数の乗りかご１００のどれか１つに割り当てる。尚、呼び登録処理の詳細については後述する。
【００２６】
本実施形態では、識別情報Ｐｉに基づいて規制装置１０１の通過が許可された場合、群管理制御装置３は、上記呼び登録を行う前に、その規制装置１０１に設けられている表示装置４での利用者による行先階の選択を可能にする。
【００２７】
表示装置４は、本実施形態ではタッチパネル付きの表示パネルであり、本実施形態では利用者の進入方向において表示装置５より手前に配置されている。尚、表示装置４は、ボタンで選択操作などを行う機能を持ったものであってもよい。又、表示装置４は、表示装置５と同様に予め規制装置１０１に組み込まれたものであってもよいし、後付けで規制装置１０１に搭載できるものであってもよい。
【００２８】
表示装置４には、識別情報Ｐｉに基づいて規制装置１０１の通過が許可された場合に、その識別情報Ｐｉ（本実施形態では、識別情報Ｐｉの代わりに用いられる後述の管理情報Ｐｊ）に対応付けられている初期設定階Ｆｄ以外で許可できる降車階（降車許可階Ｆｅ）が選択可能に表示される。尚、表示装置４には、降車許可階Ｆｅと共に初期設定階Ｆｄが更に表示されてもよい。ここで、初期設定階Ｆｄは、識別情報Ｐｉで識別される利用者に許可する降車階として初期設定された行先階であり、降車許可階Ｆｅは、その同じ利用者に対して初期設定階Ｆｄ以外で許可できる降車階として設定された階である。
【００２９】
本実施形態では、群管理制御装置３は、呼び登録処理を実行する呼び登録処理部３１を有する（図１）。尚、呼び登録処理部３１は、群管理制御装置３内に回路を構築することによってハードウェアで構成されてもよいし、群管理制御装置３が備えるＣＰＵ（Central  Processing  Unit）等の処理装置にプログラムを実行させることによってソフトウェアで構成されてもよい。そして、そのようなプログラムは、携帯可能な記憶媒体（例えば、フラッシュメモリ等）に読取可能な状態で記憶されてもよいし、サーバなどにダウンロード可能に保存され、ダウンロードされたものが制御システムの記憶部（不図示）に記憶されてもよい。
【００３０】
又、本実施形態では、セキュリティサーバ１０２は対応管理データＤｓを有する。図２は、対応管理データＤｓの一例を示した概念図である。対応管理データＤｓでは、記録媒体Ｑの識別情報Ｐｉに、その識別情報Ｐｉで識別される利用者に許可する降車階として初期設定された初期設定階Ｆｄと、その同じ利用者に対して初期設定階Ｆｄ以外で許可できる降車階として設定された降車許可階Ｆｅと、が対応付けられている。更に、対応管理データＤｓでは、識別情報Ｐｉの漏洩を防止するべく、記録媒体Ｑの識別情報Ｐｉに、その識別情報Ｐｉに１対１で対応する管理情報Ｐｊ（例えば、ＩＣカードに付される通し番号のようなもの）が対応付けられている。そして、セキュリティサーバ１０２は、初期設定階Ｆｄ等の情報を外部に送信する場合には、管理情報Ｐｊを識別情報Ｐｉの代替として用いる。
【００３１】
セキュリティサーバ１０２は、規制装置１０１から送信されてきた識別情報Ｐｉの認証に成功した場合には、その識別情報Ｐｉに対応付けられている情報を対応管理データＤｓから読み出し、読み出した情報を群管理制御装置３に送信する。ここで、群管理制御装置３に送信される情報には、管理情報Ｐｊ、初期設定階Ｆｄ、及び降車許可階Ｆｅが含まれる。このとき、セキュリティサーバ１０２は、識別情報Ｐｉと共に規制装置１０１から送信されてきた装置情報Ｐｄ（Ｐｄ１）も群管理制御装置３に送信する。
【００３２】
その後、群管理制御装置３は、セキュリティサーバ１０２から情報を受信した場合に、その情報に基づいて呼び登録処理を実行する。以下、具体的に説明する。
【００３３】
［２］制御システムで実行される制御処理
［２−１］呼び登録処理
図３は、呼び登録処理を示したフローチャートである。呼び登録処理は、群管理制御装置３がセキュリティサーバ１０２から情報を受信することにより開始される。呼び登録処理が開始されると、呼び登録処理部３１は、セキュリティサーバ１０２から受信した情報（受信情報Ｐｒ）に含まれている管理情報Ｐｊを、呼び登録の対象として決定し（図３のステップＳ１１）、その呼び登録のための準備を開始する。
【００３４】
先ず、呼び登録処理部３１は、受信情報Ｐｒに含まれている装置情報Ｐｄ１に基づいて規制装置１０１を特定する（図３のステップＳ１２）。その後、呼び登録処理部３１は、特定した規制装置１０１に設けられている表示装置４を制御することにより、当該表示装置４での利用者による行先階選択操作を可能にする（行先階選択操作の有効化。図３のステップＳ１３）。ここで、行先階選択操作は、降車したい階（行先階）を選択する操作（タッチ操作やボタン操作など）である。
【００３５】
具体的には、ステップＳ１３において呼び登録処理部３１は、受信情報Ｐｒに含まれている初期設定階Ｆｄ及び降車許可階Ｆｅを表示装置４に送信する。このとき、呼び登録処理部３１は、管理情報Ｐｊなども表示装置４に送信してもよい。表示装置４は、初期設定階Ｆｄ及び降車許可階Ｆｅを含む情報を受信した場合、行先階選択画面として、受信した初期設定階Ｆｄ及び降車許可階Ｆｅを選択可能に表示する。図４は、行先階選択画面の一例を示した概念図である。尚、行先階選択画面では、初期設定階Ｆｄは、降車許可階Ｆｅより大きく表示されてもよい。
【００３６】
尚、行先階選択画面には、初期設定階Ｆｄ及び降車許可階Ｆｅと共に管理情報Ｐｊなどが表示されてもよい（図４参照）。これにより、利用者は、表示されている行先階選択画面が自身の行先階選択のための画面であるか否かを、表示されている管理情報Ｐｊで確認することができる。
【００３７】
表示装置４への行先階選択画面の表示後（ステップＳ１３の後）、当該行先階選択画面に表示された初期設定階Ｆｄ及び降車許可階Ｆｅの何れか１つを利用者が選択した場合、選択された階が、呼び登録に使用する対象行先階Ｆｔとして表示装置４から群管理制御装置３に送信される。尚、表示装置４に表示される行先階選択画面は、例えば選択可能にボタン表示された初期設定階Ｆｄを押さなくてもスワイプ操作などの所定操作で初期設定階Ｆｄを選択できるものであってもよい。又、行先階選択画面に確定ボタン（不図示）を表示し、初期設定階Ｆｄ及び降車許可階Ｆｅの何れか１つが選択された状態で確定ボタンが押された場合に、選択されている階が対象行先階Ｆｔとして群管理制御装置３に送信されてもよい。
【００３８】
これにより、利用者は、行先階選択画面に表示された初期設定階Ｆｄ及び降車許可階Ｆｅの何れか１つを選択することで、規制装置１０１の通過時に、降車したい階（呼び登録に使用したい対象行先階Ｆｔ）を選択することが可能になる。
【００３９】
ステップＳ１３の後、呼び登録処理部３１は、対象行先階Ｆｔを表示装置４から受信したか否かを判断する（図３のステップＳ１４）。そして、呼び登録処理部３１は、「受信した（Ｙｅｓ）」と判断できるまでステップＳ１４を繰り返し実行し、ステップＳ１４にて「受信した（Ｙｅｓ）」と判断できた場合に、受信した対象行先階Ｆｔを用いて呼び登録を行う（図３のステップＳ１５）。具体的には、呼び登録処理部３１は、ステップＳ１１で対象とした管理情報Ｐｊについての呼び登録を、受信した対象行先階Ｆｔを用いて行う。
【００４０】
呼び登録では、呼び登録処理部３１は、上記対象行先階Ｆｔと、呼び登録の対象である管理情報Ｐｊで識別される利用者の出発階（乗車階）と、を乗場呼びとして、その乗場呼びを複数の乗りかご１００のどれか１つに割り当てる。ここで、出発階は、例えば次のように決まる。群管理制御装置３は装置管理データを有し、当該装置管理データでは、装置情報Ｐｄと、その装置情報Ｐｄで識別される装置の設置階と、が対応付けられている。そして、呼び登録処理部３１は、ステップＳ１２での規制装置１０１の特定に用いた装置情報Ｐｄ１を用いて、その装置情報Ｐｄ１に対応付けられている設置階（ここでは、規制装置１０１の設置階）を装置管理データから読み出し、読み出した設置階を出発階として用いる。尚、出発階には、呼び登録処理部３１が装置情報Ｐｄに基づいて決めたものを用いる場合に限らず、セキュリティサーバ１０２が装置情報Ｐｄに基づいて決め、管理情報Ｐｊと一緒にセキュリティサーバ１０２から送信されてきたものを用いてもよい。
【００４１】
又、呼び登録処理部３１は、乗場呼びの割当て後、割り当てた乗りかご１００を識別するための乗りかご情報（番号や記号など）を、ステップＳ１２で特定した規制装置１０１の表示装置５に表示する。これにより、利用者は、規制装置１０１の通過時に、表示装置５に表示された乗りかご情報を確認することで、自身が乗車すべき乗りかご１００を認識できる。
【００４２】
本実施形態の制御システムによれば、利用者は、規制装置１０１の通過時に、表示装置４に表示された降車許可階Ｆｅの中から降車したい階を選択することにより、群管理制御装置３での呼び登録の実行前に、行先階（降車したい階）を初期設定階Ｆｄから変更できる。そして、行先階が変更された場合には、変更後の行先階（選択された降車許可階Ｆｅ）を用いて呼び登録が行われる。即ち、規制装置１０１の通過時に選択される行先階（初期設定階Ｆｄ及び降車許可階Ｆｅの何れか１つ）が、呼び登録に用いられる。従って、同じ利用者に対して異なる２つの呼び登録が生じるといった無駄が生じにくくなり、その結果として、エレベータの運行効率を低下させずに、初期設定階Ｆｄとは別の行先階への利用者の移動を可能にすることができる。
【００４３】
［３］変形例
［３−１］第１変形例
上記制御システムにおいて、群管理制御装置３は、表示装置４に行先階選択画面を表示してから、表示装置４に対する操作（選択操作）がないまま所定時間Ｔ０が経過した場合、対象行先階Ｆｔとして初期設定階Ｆｄを用いて呼び登録を行ってもよい。
【００４４】
一例として、図３のステップＳ１３において行先階選択画面の表示を表示装置４に実行させたときに、その表示装置４が、時間（経過時間Ｔ）の計測を開始する。そして、選択操作がないまま経過時間Ｔが所定時間Ｔ０に達した場合に、表示装置４が、初期設定階Ｆｄを対象行先階Ｆｔとして群管理制御装置３に送信する。そして、群管理制御装置３（呼び登録処理部３１）は、図３のステップＳ１４にて「受信した（Ｙｅｓ）」と判断した場合、受信した初期設定階Ｆｄを用いて呼び登録を行う（図３のステップＳ１５）。
【００４５】
他の例として、群管理制御装置３（呼び登録処理部３１）が経過時間Ｔの計測を行ってもよい。図５は、第１変形例における他の例で実行される呼び登録処理を示したフローチャートである。この例では、呼び登録処理部３１は、ステップＳ１３を実行したときに、時間（経過時間Ｔ）の計測を開始する（図５のステップＳ２１）。そして、呼び登録処理部３１は、ステップＳ１４にて「受信していない（Ｎｏ）」と判断した場合、経過時間Ｔが所定時間Ｔ０に達しているか否かを判断する（図５のステップＳ２２）。
【００４６】
呼び登録処理部３１は、ステップＳ２２にて「達している（Ｙｅｓ）」と判断した場合、対象行先階Ｆｔとして初期設定階Ｆｄを用いて呼び登録を行う（図５のステップＳ２３）。一方、ステップＳ２２にて「達していない（Ｎｏ）」と判断した場合には、ステップＳ１４にて「受信した（Ｙｅｓ）」と判断するか、又はステップＳ２２にて「達している（Ｙｅｓ）」と判断できるまで、ステップＳ１４及びＳ２２を繰り返し実行する。
【００４７】
第１変形例によれば、利用者は、初期設定階Ｆｄを用いて呼び登録を行いたい場合に、行先階選択画面を操作せずに呼び登録を行うことができる。
【００４８】
［３−２］第２変形例
図６は、第２変形例に係る制御システムが適用されたエレベータの要部を示した概念図である。図６に示される様に、制御システムは、検知装置６を更に備えていてもよい。検知装置６は、規制装置１０１に設けられ、表示装置４の前を利用者が通過したことを検知する。
【００４９】
この構成において、群管理制御装置３は、表示装置４への行先階選択画面の表示後、当該表示装置４に対する操作がないまま検知装置６が利用者の通過を検知した場合、対象行先階Ｆｔとして初期設定階Ｆｄを用いて呼び登録を行ってもよい。
【００５０】
一例として、図３のステップＳ１３において行先階選択画面の表示を表示装置４に実行させた後、選択操作がないまま検知装置６が利用者の通過を検知した場合に、表示装置４が、初期設定階Ｆｄを対象行先階Ｆｔとして群管理制御装置３に送信する。そして、群管理制御装置３（呼び登録処理部３１）は、図３のステップＳ１４にて「受信した（Ｙｅｓ）」と判断した場合、受信した初期設定階Ｆｄを用いて呼び登録を行う（図３のステップＳ１５）。
【００５１】
他の例として、検知装置６は、利用者の通過を検知した検知信号Ｓｄを群管理制御装置３に送信し、群管理制御装置３が、検知信号Ｓｄに基づいた呼び登録を行ってもよい。図７は、第２変形例における他の例で実行される呼び登録処理を示したフローチャートである。この例では、呼び登録処理部３１は、ステップＳ１４にて「受信していない（Ｎｏ）」と判断した場合、検知装置６からの検知信号Ｓｄを受信したか否かを判断する（図７のステップＳ３１）。
【００５２】
呼び登録処理部３１は、ステップＳ３１にて「受信した（Ｙｅｓ）」と判断した場合、対象行先階Ｆｔとして初期設定階Ｆｄを用いて呼び登録を行う（図７のステップＳ３２）。一方、ステップＳ３１にて「受信していない（Ｎｏ）」と判断した場合には、ステップＳ１４又はＳ３１にて「受信した（Ｙｅｓ）」と判断できるまで、ステップＳ１４及びＳ３１を繰り返し実行する。
【００５３】
第２変形例によれば、利用者は、初期設定階Ｆｄを用いて呼び登録を行いたい場合に、行先階選択画面を操作しなくても、規制装置１０１を通過することを以て呼び登録を行うことができる。即ち、利用者は、初期設定階Ｆｄを用いて呼び登録を行いたい場合には、表示装置４の前で一旦停止するといった動作や選択操作などを行う必要がなく、従って、規制装置１０１をスムーズに通過できる。よって、利用者にとっての利便性が向上する。
【００５４】
［３−３］第３変形例
対応管理データＤｓにおいて、識別情報Ｐｉには、表示装置４への行先階選択画面の表示に関する有効期間が対応付けられていてもよい。ここで、有効期間は、表示装置４に行先階選択画面を表示させる時間帯、曜日、日にちなどが設定されたものである。この場合、群管理制御装置３では、呼び登録処理が以下のように実行されてもよい。
【００５５】
図８は、第３変形例で実行される呼び登録処理を示したフローチャートである。本変形例では、セキュリティサーバ１０２が認証に成功した場合、そのセキュリティサーバ１０２から群管理制御装置３に送信される情報には、管理情報Ｐｊ、初期設定階Ｆｄ、降車許可階Ｆｅ、及び装置情報Ｐｄ（Ｐｄ１）の他に、上述した有効期間が含まれる。
【００５６】
群管理制御装置３がセキュリティサーバ１０２から情報（受信情報Ｐｒ）を受信して、呼び登録処理が開始されると、呼び登録処理部３１は、ステップＳ１１の後、受信情報Ｐｒを受信した時点（受信時点）が、その受信情報Ｐｒに含まれている有効期間内であるか否かを判断する（図８のステップＳ４１）。尚、有効期間内であるか否かの判断対象となる上記時点には、受信情報Ｐｒを受信した時点に限らず、利用者が規制装置１０１を通過した時点に対応付けることができる様々な時点（例えば、セキュリティサーバ１０２が識別情報Ｐｉを認証した時点や、群管理制御装置３が呼び登録処理を開始した時点など）を用いることができる。
【００５７】
そして、呼び登録処理部３１は、ステップＳ４１にて「有効期間内である（Ｙｅｓ）」と判断した場合、ステップＳ１２からの処理を行うことで、表示装置４への行先階選択画面の表示（ステップＳ１３）を行った上で呼び登録を行う。一方、ステップＳ４１にて「有効期間内でない（Ｎｏ）」と判断した場合、呼び登録処理部３１は、初期設定階Ｆｄを用いて呼び登録を行う（図８のステップＳ４２）。
【００５８】
第３変形例によれば、利用者にとって初期設定階Ｆｄからの行先階の変更が必要なとき（即ち、予め設定された有効期間内）にだけ、表示装置４への行先階選択画面の表示が行われる。換言すれば、利用者にとって行先階の変更が不要な場合には、表示装置４への行先階選択画面の表示が行われないため、利用者は、規制装置１０１をスムーズに通過できる。よって、利用者にとっての利便性が向上する。
【００５９】
［３−４］第４変形例
上記制御システムにおいて、表示装置４及び５は、同じ１つの表示装置で構成されてもよい。又、上記制御システムにおいて、表示装置４に表示する行先階選択画面を、初期設定階Ｆｄを表示しないものに変更してもよい。この場合、初期設定階Ｆｄを用いた呼び登録は、利用者によるスワイプ操作、経過時間Ｔに基づく判断（第１変形例）、検知信号Ｓｄに基づく判断（第２変形例）によって行われることになる。
【００６０】
［３−５］第５変形例
セキュリティサーバ１０２は、上述した対応管理データＤｓに代えて、識別情報Ｐｉに管理情報Ｐｊだけが対応付けられた第１対応管理データＤｓ１を有していてもよい。この場合、管理情報Ｐｊに初期設定階Ｆｄ及び降車許可階Ｆｅ（更には、有効期間）が対応付けられた第２対応管理データＤｓ２を、群管理制御装置３に持たせることができる。即ち、セキュリティサーバ１０２での認証にだけ必要な情報を除いて、エレベータの制御に必要な全ての情報をエレベータの制御システム側で管理することが可能になる。この場合、セキュリティサーバ１０２及び群管理制御装置３では以下の制御が実行される。
【００６１】
セキュリティサーバ１０２は、識別情報Ｐｉの認証に成功した場合、その識別情報Ｐｉに対応する管理情報Ｐｊ及び装置情報Ｐｄを含んだ情報のみを群管理制御装置３に送信する。そして、群管理制御装置３は、その情報を受信したときに、当該情報に含まれている管理情報Ｐｊに対応する初期設定階Ｆｄ及び降車許可階Ｆｅ（更には、有効期間）を第２対応管理データＤｓ２から読み出して、上述した制御処理に用いる。
【００６２】
［３−６］他の変形例
上述した制御システムは、規制装置１０１及びセキュリティサーバ１０２を含めずに構築されたものに限らず、これらの少なくとも何れか一方を含めて構築されたものであってもよい。セキュリティサーバ１０２を制御システムに含めた場合、群管理制御装置３とセキュリティサーバ１０２とを纏めて１つの制御装置と把握してもよい。
【００６３】
又、セキュリティサーバ１０２を設けずに、群管理制御装置３又は規制装置１０１で識別情報Ｐｉの認証を行うように制御システムが変形されてもよい。この場合、管理情報Ｐｊを用いずに識別情報Ｐｉでエレベータの制御が行われてもよい。
【００６４】
更に、上述した制御システムは、乗りかご１００を１つだけ備えたエレベータにも適用可能である。この場合、群管理制御装置３はなくてもよく、呼び登録処理はエレベータ制御装置２で実行される。
【００６５】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６６】
１  読取装置
２  エレベータ制御装置
３  群管理制御装置
４、５  表示装置
６  検知装置
Ｈ  乗場
Ｑ  記録媒体
Ｔ  経過時間
３１  呼び登録処理部
Ｄｓ  対応管理データ
Ｆｄ  初期設定階
Ｆｅ  降車許可階
Ｆｔ  対象行先階
Ｐｄ  装置情報
Ｐｉ  識別情報
Ｐｊ  管理情報
Ｐｒ  受信情報
Ｓｄ  検知信号
Ｔ０  所定時間
１００  乗りかご
１０１  規制装置
１０２  セキュリティサーバ
Ｄｓ１  第１対応管理データ
Ｄｓ２  第２対応管理データ
Ｐｄ１  装置情報
【図１】
2020142871.tif 000003
【図２】
2020142871.tif 000004
【図３】
2020142871.tif 000005
【図４】
2020142871.tif 000006
【図５】
2020142871.tif 000007
【図６】
2020142871.tif 000008
【図７】
2020142871.tif 000009
【図８】
2020142871.tif 000010